(57)【特許請求の範囲】
【請求項１】
電源端と、アース端と、正回転スイッチと正回転点弧用スイッチと正回転リレーとを有し、前記正回転スイッチがそれぞれ前記電源端及び前記アース端と電気的に連接しており、前記正回転点弧用スイッチが前記正回転スイッチと電気的に連接しており、前記正回転リレーがそれぞれ前記正回転点弧用スイッチ及び前記アース端と電気的に連接している正回転組と、逆回転スイッチと逆回転点弧用スイッチと逆回転リレーとを有し、前記逆回転スイッチがそれぞれ前記電源端及び前記アース端と電気的に連接しており、前記逆回転点弧用スイッチが前記逆回転スイッチと電気的に連接しており、且つ前記逆回転点弧用スイッチが別に前記正回転組の正回転リレーと電気的に連接しており、前記逆回転リレーがそれぞれ前記逆回転点弧用スイッチ及び前記アース端と電気的に連接しており、前記逆回転リレーが別に前記正回転組の正回転点弧用スイッチと電気的に連接している逆回転組と、前記正回転リレー及び前記逆回転リレーとそれぞれ電気的に連接しており、前記正回転リレー及び前記逆回転リレーを介して前記正回転点弧用スイッチ及び前記逆回転点弧用スイッチと交錯に電気的に連接しており、前記電源端および前記アース端に合わせて前記正回転スイッチ及び前記逆回転スイッチの切換に通じて点弧を施すことにより、正逆回転のインタロックを制御可能であるモータとを含むことを特徴とする、モータ正逆回転制御用インタロック装置。
【請求項２】
前記正回転リレーは、コイルと、第一切換具と、第二切換具とを有し、前記コイルは一端が前記正回転点弧用スイッチと電気的に連接しており、他端が前記アース端と電気的に連接しており、前記第一切換具は、ａ接点と、ｂ接点と、ｃ接点とを有し、前記ａ接点が前記アース端と電気的に連接しており、前記ｂ接点がここで使用されなく、前記第二切換具はａ接点と、ｂ接点と、ｃ接点とを有し、前記ａ接点が前記電源端と電気的に連接しており、前記ｂ接点が前記第一切換具のｃ接点と電気的に連接しており、前記逆回転リレーは、コイルと、第一切換具と、第二切換具とを有し、前記コイルは一端が前記逆回転点弧用スイッチと電気的に連接しており、他端が前記アース端と電気的に連接しており、前記第一切換具はａ接点と、ｂ接点と、ｃ接点とを有し、前記ａ接点が前記アース端と電気的に連接しており、前記ｃ接点がここで使用されなく、前記第二切換具はａ接点と、ｂ接点と、ｃ接点と、を有し、前記ａ接点が前記電源端と電気的に連接しており、前記ｂ接点が前記正回転組の正回転点弧用スイッチと電気的に連接しており、前記ｃ接点が前記第一切換具のｂ接点と電気的に連接していることを特徴とする、請求項１に記載のモータ正逆回転制御用インタロック装置。
【請求項３】
更に、前記正回転組の正回転リレーにはダイオードが電気的に連接しており、且つ前記逆回転組の逆回転リレーにはダイオードが電気的に連接していることを特徴とする、請求項１に記載のモータ正逆回転制御用インタロック装置。
【請求項４】
更に、電源遅延供給回路と、遅延スイッチとを含み、前記電源遅延供給回路は、前記正回転組の正回転点弧用スイッチ及び前記逆回転組の逆回転点弧用スイッチとそれぞれ電気的に連接しており、前記遅延スイッチは、金属酸化層半導体電界効果トランジスタであり、前記正回転組の正回転リレー、前記逆回転組の逆回転リレー、前記電源遅延回路及び前記アース端とそれぞれ電気的に連接していることを特徴とする、請求項１に記載のモータ正逆回転制御用インタロック装置。
【請求項５】
前記正回転組の正回転点弧用スイッチはダブルキャリア接面トランジスタであり、前記逆回転組の逆回転点弧用スイッチもダブルキャリア接面トランジスタであることを特徴とする、請求項１に記載のモータ正逆回転制御用インタロック装置。
【発明の詳細な説明】
【技術分野】
【０００１】
本発明は、インタロック装置に係り、特に、モータ正逆回転制御用インタロック装置に関するものである。
【背景技術】
【０００２】
従来のモータ用正逆回転回路１０は、図１に示すように、正回転スイッチ１１と、正回転リレー１２と、逆回転スイッチ１３と、逆回転リレー１４と、電源供給回路１５と、遅延回路１６と、遅延通電用スイッチ１７と、モータ１８とから構成されるものである。
【発明の開示】
【発明が解決しようとする課題】
【０００３】
しかしながら、これは次のような欠点があった。
（１）従来のモータ用正逆回転回路１０は、正逆回転インタロック機能を有しなく、ユーザが本発明の主な目的は、正回転スイッチ１１と逆回転スイッチ１３とを同時に押圧すると、モータ１８が瞬間に停止するようになり、且つモータを使用しているときに、正回転スイッチ１１又は逆回転スイッチ１３を不意に押圧すると、回転方向が違った方向へ回転するようになり、そうすると生産が不順調になり生産効率が降下する。
【０００４】
（２）モータ１８に正逆回転インタロック機能を増設すると、回路の設計をやり直すことが必要になり、且つ試作された製品の信頼性をテストすることも必要であり、そうすると、製品開発の必要な時間が長く延びるようになり、製品の開発コストが増加する。
【０００５】
本考案の主な目的は、正回転組と逆回転組が同時に作動不能なモータ正逆回転制御用インタロック装置を提供することにある。
【０００６】
本考案の次の目的は、正回転組の正回転リレーと、逆回転組の逆回転リレーとにダイオードをそれぞれ電気的に連接することにより、エネルギーが消耗され、過大なエネルギーによる装置の損壊を回避可能であるモータ正逆回転制御用インタロック装置を提供することにある。
【０００７】
本考案の別の目的は、電源遅延供給回路にて、正回転組の正回転リレーと、逆回転組の逆回転リレーとを遅延することにより、装置を保護可能であるモータ正逆回転制御用インタロック装置を提供することにある。
【課題を解決するための手段】
【０００８】
上記目的を達成するためになされた本願の発明は、電源端と、アース端と、正回転スイッチと正回転点弧用スイッチと正回転リレーとを有し、前記正回転スイッチがそれぞれ前記電源端及び前記アース端と電気的に連接しており、前記正回転点弧用スイッチが前記正回転スイッチと電気的に連接しており、前記正回転リレーがそれぞれ前記正回転点弧用スイッチ及び前記アース端と電気的に連接している正回転組と、逆回転スイッチと逆回転点弧用スイッチと逆回転リレーとを有し、前記逆回転スイッチがそれぞれ前記電源端及び前記アース端と電気的に連接しており、前記逆回転点弧用スイッチが前記逆回転スイッチと電気的に連接しており、且つ前記逆回転点弧用スイッチが別に前記正回転組の正回転リレーと電気的に連接しており、前記逆回転リレーがそれぞれ前記逆回転点弧用スイッチ及び前記アース端と電気的に連接しており、前記逆回転リレーが別に前記正回転組の正回転点弧用スイッチと電気的に連接している逆回転組と、前記正回転リレー及び前記逆回転リレーとそれぞれ電気的に連接しており、前記正回転リレー及び前記逆回転リレーを介して前記正回転点弧用スイッチ及び前記逆回転点弧用スイッチと交錯に電気的に連接しており、前記電源端および前記アース端に合わせて前記正回転スイッチ及び前記逆回転スイッチの切換に通じて点弧を施すことにより、正逆回転のインタロックを制御可能であるモータとを含むことを特徴とする、モータ正逆回転制御用インタロック装置であることを要旨としている。
【０００９】
本願の発明では、前記正回転リレーは、コイルと、第一切換具と、第二切換具とを有し、前記コイルは一端が前記正回転点弧用スイッチと電気的に連接しており、他端が前記アース端と電気的に連接しており、前記第一切換具はａ接点と、ｂ接点と、ｃ接点とを有し、前記ａ接点が前記アース端と電気的に連接しており、前記ｂ接点がここで使用されなく、前記第二切換具はａ接点と、ｂ接点と、ｃ接点とを有し、前記ａ接点が前記電源端と電気的に連接しており、前記ｂ接点が前記第一切換具のｃ接点と電気的に連接しており、前記逆回転リレーはコイルと、第一切換具と、第二切換具とを有し、前記コイルは一端が前記逆回転点弧用スイッチと電気的に連接しており、他端が前記アース端と電気的に連接しており、前記第一切換具はａ接点と、ｂ接点と、ｃ接点とを有し、前記ａ接点が前記アース端と電気的に連接しており、前記ｃ接点がここで使用されなく、前記第二切換具はａ接点と、ｂ接点と、ｃ接点とを有し、前記ａ接点が前記電源端と電気的に連接しており、前記ｂ接点が前記正回転組の正回転点弧用スイッチと電気的に連接しており、前記ｃ接点が前記第一切換具のｂ接点と電気的に連接していることを特徴とする、請求項１に記載のモータ正逆回転制御用インタロック装置であることを要旨としている。
【００１０】
本願の発明では、更に、前記正回転組の正回転リレーにはダイオードが電気的に連接しており、且つ前記逆回転組の逆回転リレーにはダイオードが電気的に連接していることを特徴とする、請求項１に記載のモータ正逆回転制御用インタロック装置であることを要旨としている。
【００１１】
本願の発明では、更に、電源遅延供給回路と、遅延スイッチとを含み、前記電源遅延供給回路は、前記正回転組の正回転点弧用スイッチ及び前記逆回転組の逆回転点弧用スイッチとそれぞれ電気的に連接しており、前記遅延スイッチは金属酸化層半導体電界効果トランジスタであり、前記正回転組の正回転リレー、前記逆回転組の逆回転リレー、前記電源遅延回路及び前記アース端とそれぞれ電気的に連接していることを特徴とする、請求項１に記載のモータ正逆回転制御用インタロック装置であることを要旨としている。
【００１２】
本願の発明では、前記正回転組の正回転点弧用スイッチはダブルキャリア接面トランジスタであり、前記逆回転組の逆回転点弧用スイッチもダブルキャリア接面トランジスタであることを特徴とする、請求項１に記載のモータ正逆回転制御用インタロック装置であることを要旨としている。
【発明の効果】
【００１３】
本発明のモータ正逆回転制御用インタロック装置によれば、次のような効果がある。
（１）正回転組と逆回転組が同時に作動不能である。
【００１４】
（２）正回転組の正回転リレーと、逆回転組の逆回転リレーとにダイオードをそれぞれ電気的に連接することにより、エネルギーが消耗され過大なエネルギーによる装置の損壊を回避可能である。
【００１５】
（３）電源遅延供給回路にて、正回転組の正回転リレーと、逆回転組の逆回転リレーとを遅延することにより装置を保護可能である。
【発明を実施するための最良の形態】
【００１６】
以下、添付図面を参照して本発明の好適な実施の形態を詳細に説明する。
【００１７】
まず、図２乃至図５を参照する。本発明のモータ用のインタロック装置２０は、電源端３０と、アース端４０と、正回転組５０と、逆回転組６０と、モータ７０と、電源遅延供給回路８０と、遅延スイッチ９０とを含む。
【００１８】
前記正回転組５０は、正回転スイッチ５１と、正回転点弧用スイッチ５２と、正回転リレー５３とを有し、前記正回転スイッチ５１は、一端が前記アース端４０と電気的に連接しており、他端が前記電源端３０と電気的に連接しており、正回転点弧用スイッチ５２は、ダブルキャリア接面トランジスタであり、Ｂ極と、Ｅ極と、Ｃ極とを有し、前記Ｂ極が電源端３０と電気的に連接しており、前記正回転リレー５３は、コイル５４と、第一切換具５５と、第二切換具５６とを有し、前記コイル５４は、一端が前記正回転点弧用スイッチ５２のＥ極と電気的に連接しており、他端が前記アース端４０と電気的に連接しており、前記第一切換具５５は、ａ接点と、ｂ接点と、ｃ接点とを有し、前記ａ接点が前記アース端４０と電気的に連接しており、前記ｂ接点がここで使用されなく、前記第二切換具５６は、ａ接点と、ｂ接点と、ｃ接点とを有し、前記ａ接点が前記電源端３０と電気的に連接しており、前記ｂ接点が前記第一切換具５５のｃ接点と電気的に連接している。
【００１９】
前記逆回転組６０は、逆回転スイッチ６１と、逆回転点弧用スイッチ６２と、逆回転リレー６３とを有し、前記逆回転スイッチ６１は一端が前記アース端４０と電気的に連接しており、他端が前記電源端３０と電気的に連接しており、前記逆回転点弧用スイッチ６２はダブルキャリア接面トランジスタであり、Ｂ極と、Ｅ極と、Ｃ極とを有し、前記Ｂ極が電源端３０と電気的に連接しており、前記逆回転リレー６３は、コイル６４と、第一切換具６５と、第二切換具６６とを有し、前記コイル６４は、一端が前記逆回転点弧用スイッチ６２のＥ極と電気的に連接しており、他端が前記アース端４０と電気的に連接しており、前記第一切換具６５は、ａ接点と、ｂ接点と、ｃ接点とを有し、前記ａ接点が前記アース端４０と電気的に連接しており、前記ｃ接点がここで使用されなく、前記第二切換具６６はａ接点と、ｂ接点と、ｃ接点とを有し、前記ａ接点が前記電源端３０と電気的に連接しており、前記ｂ接点が前記正回転組５０の正回転点弧用スイッチ５２のＣ極と電気的に連接しており、ｃ接点が前記第一切換具６５のｂ接点と電気的に連接している。
【００２０】
前記モータ７０は、第一端７１と、第二端７２とを有し、前記第一端７１が前記正回転リレー５３の第一切換具５５のｃ接点および前記正回転リレー５３の第二切換具５６のｂ接点と電気的に連接しており、前記第二端７２が前記逆回転リレー６３の第一切換具６５のｂ接点および前記逆回転リレー６３の第二切換具６６のｃ接点と電気的に連接している。
【００２１】
本発明のモータ用のインタロック装置２０は、更に、正回転組５０の正回転リレー５３のコイル５４にダイオード５７が並列接続しており、且つ逆回転組６０の逆回転リレー６３のコイル６４にダイオード６７が並列接続している。
【００２２】
本発明のモータ用のインタロック装置２０は、更に、電源遅延供給回路８０と、遅延スイッチ９０とを含み、前記電源遅延供給回路８０は、前記正回転組５０の正回転点弧用スイッチ５２のＥ極及び前記逆回転組６０の逆回転点弧用スイッチ６２のＥ極とそれぞれ電気的に連接しており、前記遅延スイッチ９０は金属酸化層半導体電界効果トランジスタであり、前記遅延スイッチ９０はＤ極と、Ｇ極と、Ｓ極とを有し、前記Ｄ極が正回転組５０の第一切換具５５のａ接点および逆回転組６０の第一切換具６５のａ接点とそれぞれ電気的に連接しており、前記Ｓ極がアース端４０と電気的に連接しており、前記Ｇ極が電源遅延供給回路８０と電気的に連接している。
【００２３】
次に、図２乃至図７を参照しながら本発明の作動方式および効果を詳細に説明する。
【００２４】
（１）モータが逆回転不能にロックされた状態で正回転している場合には、図２及び図３に示すように、電源が電源端３０を介してアース端４０と電気的に連接することにより電源供給回路が形成され、電源端３０の電源により逆回転組６０の第二切換具６６がａ接点およびｂ接点にて正回転点弧用スイッチ５２を点弧するので、正回転組５０の正回転スイッチ５１がオンにされるときには、電源端３０の電源が正回転点弧用スイッチ５２を経由して正回転リレー５３のコイル５４を通電することにより第一切換具５５と第二切換具５６とを切換え、これにより、電源端３０の電源は、第二切換具５６のａ接点およびｂ接点と、モータ７０の第一端７１および第二端７２と、逆回転リレー６３の第一切換具６５のｂ接点およびａ接点とを経由してアース端４０に到達することにより、正回転回路が形成され、一方、逆回転組６０の逆回転点弧用スイッチ６２は、電源が正回転組５０の正回転リレー５３に遮断されたので、逆回転点弧用スイッチ６２を点弧するための点弧電源がないため、逆回転点弧用スイッチ６２が通電不能になり、だからこのとき、逆回転組６０の逆回転スイッチ６１を押圧しても、モータ７０は逆回転しなく、また電源端３０の電源をモータ７０の第一端７１に流入してモータ７０の第二端７２から流出することを持続すると、モータ７０が正回転状態に維持され、なおモータ７０の正回転状態を停止しようとする場合には、正回転組５０の正回転スイッチ５１をオフするだけで、モータ７０の正回転状態を停止可能である。
【００２５】
（２）モータが正回転不能にロックされた状態で逆回転している場合には、図２及び図４に示すように、電源が電源端３０を介してアース端４０と電気的に連接することにより電源供給回路が形成され、電源端３０の電源により正回転組５０の第二切換具５６がａ接点およびｃ接点にて逆回転点弧用スイッチ６２を点弧するので、逆回転組６０の逆回転スイッチ６１がオンにされるときには、電源端３０の電源が逆回転点弧用スイッチ６２を経由して逆回転リレー６３のコイル６４を通電することにより第一切換具６５と第二切換具６６とを切換え、これにより、電源端３０の電源は、第二切換具６６のａ接点およびｃ接点と、モータ７０の第二端７２および第一端７１と、正回転リレー５３の第一切換具５５のｃ接点およびａ接点とを経由してアース端４０に到達することにより、逆回転回路が形成され、一方、正回転組５０の正回転点弧用スイッチ５２は、電源が逆回転組６０の逆回転リレー６３に遮断されたので、正回転点弧用スイッチ５２を点弧するための点弧電源がないため、正回転点弧用スイッチ５２が通電不能になり、だからこのとき、正回転組５０の正回転スイッチ５１を押圧しても、モータ７０は正回転しなく、また電源端３０の電源をモータ７０の第二端７２に流入してモータ７０の第一端７１から流出することを持続すると、モータ７０が逆回転状態に維持され、なおモータ７０の逆回転状態を停止しようとする場合には、逆回転組６０の逆回転スイッチ６１をオフするだけで、モータ７０の逆回転状態を停止可能である。
【００２６】
また、モータ７０が正回転しているときには、インタロック２０のオン・オフが正回転組５０の正回転リレー５３を介して正回転スイッチ５１に制御され、これにより、逆回転組６０の逆回転点弧用スイッチ６２の作動が阻止され、ひいては逆回転組６０の逆回転回路が遮断されてモータ７０が逆回転不能になり、またモータ７０が逆回転しているときには、インタロック２０のオン・オフが逆回転組６０の逆回転リレー６３を介して逆回転スイッチ６１に制御され、これにより、正回転組５０の正回転点弧用スイッチ５２の作動が阻止され、ひいては正回転組５０の正回転回路が遮断されてモータ７０が正回転不能になり、すなわち回路がインタロックされる状態では、正、逆回転回路のうちの一つの回路が動作しているときに他の回路が動作不能になる。
【００２７】
また、インタロック２０は、図５乃至図７に示すように、正回転組５０を正回転しようとする場合に、正回転リレー５３のコイル５４を通電し、一方、逆回転組６０を逆回転しようとする場合に、逆回転リレー６３のコイル６４を通電する。
【００２８】
また、インタロック２０の電源遅延供給回路８０は、図５乃至図７に示すように、モータ７０を正回転しようとする場合に、正回転組５０の正回転点弧用スイッチ５２からの電源を受け、一方、モータ７０を逆回転しようとする場合に、逆回転組６０の逆回転点弧用スイッチ６２からの電源を受ける。
【図面の簡単な説明】
【００２９】
【図１】従来のものの回路図
【図２】本発明の回路図
【図３】本発明の回路がモータの正回転状態にあるときの概略図
【図４】本発明の回路がモータの逆回転状態にあるときの概略図
【図５】本発明に電源遅延供給回路および遅延スイッチ回路が加えられた状態の概略図
【図６】本発明に電源遅延供給回路および遅延スイッチ回路が加えられたものはモータの正回転状態にあるときの概略図
【図７】本発明に電源遅延供給回路および遅延スイッチ回路が加えられたものはモータの逆回転状態にあるときの概略図
【符号の説明】
【００３０】
１０      モータ用正逆回転回路            
１１      正回転スイッチ
１２      正回転リレー                    
１３      逆回転スイッチ
１４      逆回転リレー                    
１５      電源供給回路
１６      遅延回路                              
１７      遅延通電用スイッチ
１８      モータ                          
２０      インタロック装置
３０      電源端                          
４０      アース端
５０      正回転組                              
５１      正回転スイッチ
５２      正回転点弧用スイッチ            
５３      正回転リレー
５４      コイル
５５ａ    第一切換具
５５ｂ    第一切換具
５５ｃ    第一切換具
５６ａ    第二切換具
５６ｂ    第二切換具
５６ｃ    第二切換具
５７      ダイオード                      
６０      逆回転組
６１      逆回転スイッチ                  
６２      逆回転点弧用スイッチ
６３      逆回転リレー                    
６４      コイル
６５ａ    第一切換具
６５ｂ    第一切換具
６５ｃ    第一切換具
６６ａ    第二切換具
６６ｂ    第二切換具
６６ｃ    第二切換具
６７      ダイオード                      
７０      モータ
７１      第一端                          
７２      第二端
８０      電源遅延供給回路
９０Ｄ    遅延スイッチ
９０Ｇ    遅延スイッチ
９０Ｓ    遅延スイッチ
【図１】
0004523633.tif 000002
【図２】
0004523633.tif 000003
【図３】
0004523633.tif 000004
【図４】
0004523633.tif 000005
【図５】
0004523633.tif 000006
【図６】
0004523633.tif 000007
【図７】
0004523633.tif 000008